(57)【要約】【課題】電気ストーブの本体部に保護ガードを取り付けた場合でも、電気ストーブを倒れにくくする。【解決手段】発熱部が内部に配置された本体部３の周囲には、ガード部材２０が設けられている。ガード部材２０は、本体部３の側面を覆うように取り付けられたガード本体部２１を有し、ガード本体部２１の後方には重心調整部８０，９０が配置されている。本体部３は、支柱２に対して回転することにより縦固定位置と横固定位置とのいずれかに配置され、本体部３が縦固定位置と横固定位置とに配置された際に、平面視において、ガード部材２０の重心位置Ｇ２がストーブ本体１０の重心位置Ｇ１と略一致する。【選択図】図７
2013185744.tif 000002
【特許請求の範囲】
【請求項１】
支持台、前記支持台から上方に延在する支柱、及び、発熱部を有すると共に前記支柱に取り付けられた本体部を有するストーブ本体と、
前記本体部の周囲に取り付けられたガード部材とを備え、
前記本体部が、前記支柱に対して回転することで複数の固定位置のいずれかに配置されるように構成され、
前記ガード部材が、重心調整部を有しており、
前記本体部が所定の固定位置に配置された場合に、平面視において、前記ガード部材の重心位置が前記ストーブ本体の重心位置と略一致することを特徴とする電気ストーブ。
【請求項２】
前記重心調整部が、前記本体部が前記支柱に対して回転するときに、前記支柱に当接しないように配置されることを特徴とする請求項１に記載の電気ストーブ。
【請求項３】
前記本体部が所定の固定位置に配置された場合に、平面視において前記ガード部材が前記支持台の範囲内に配置されることを特徴とする請求項１又は２に記載の電気ストーブ。
【請求項４】
前記ガード部材が、複数の部材を有しており、前記複数の部材が接続されることによって前記本体部の周囲に取り付けられることを特徴とする請求項１〜３のいずれか１項に記載の電気ストーブ。
【請求項５】
前記ガード部材と前記本体部との間に配置された弾性部材を備えていることを特徴とする請求項１〜４のいずれか１項に記載の電気ストーブ。
【発明の詳細な説明】
【技術分野】
【０００１】
本発明は、発熱体を有する電気ストーブに関する。
【背景技術】
【０００２】
電気ストーブとして、発熱部を有する本体部と、本体部を支持する支持部材とを有し、本体部が支持部材の上端部に固定されたものが知られている（例えば、特許文献１参照）。また、温風を吹き出す暖房機器として、温風吹出口が前面部に形成されているとともに床面に配置される本体部を有し、温風吹出口の前方に保護ガードが設けられたものが知られている（例えば、特許文献２参照）。特許文献２の温風暖房機器では、保護ガードにより使用者が温風吹出口に触れられないように構成されている。
【先行技術文献】
【特許文献】
【０００３】
【特許文献１】特開２００８−１１１５６５号公報
【特許文献２】特開平６−２４９５１８号公報
【発明の概要】
【発明が解決しようとする課題】
【０００４】
ところで、上述の電気ストーブでは、使用の際に、発熱部の熱が本体部に伝わることにより、本体部の外周面が高温になることがある。そのため、使用者が本体部に触れられない構成にすることが望まれている。そこで、特許文献２の保護ガードを、電気ストーブの本体部の周囲に配置することが考えられるが、電気ストーブの本体部は支持部材の上端部に固定されていることから、本体部に保護ガードを取り付けた場合、電気ストーブが倒れやすい。
【０００５】
そこで、本発明の目的は、本体部に保護ガードを取り付けた場合に倒れにくい電気ストーブを提供することである。
【課題を解決するための手段】
【０００６】
第１の発明に係る電気ストーブは、支持台、前記支持台から上方に延在する支柱、及び、発熱部を有すると共に前記支柱に取り付けられた本体部を有するストーブ本体と、前記本体部の周囲に取り付けられたガード部材とを備え、前記本体部が、前記支柱に対して回転することで複数の固定位置のいずれかに配置されるように構成され、前記ガード部材が、重心調整部を有しており、前記本体部が所定の固定位置に配置された場合に、平面視において、前記ガード部材の重心位置が前記ストーブ本体の重心位置と略一致する。
【０００７】
この電気ストーブでは、重心調整部によりストーブ本体の重心位置とガード部材の重心位置とが略一致するので、本体部にガード部材を取り付けた場合でも電気ストーブが倒れにくい。また、本体部の周囲にガード部材が取り付けられているため、使用者が本体部の外周面に触れられないようにすることができる。
【０００８】
第２の発明に係る電気ストーブは、第１の発明において、前記重心調整部が、前記本体部が前記支柱に対して回転するときに、前記支柱に当接しないように配置される。
【０００９】
この電気ストーブでは、本体部を回転させた際に、重心調整部が支柱に当接しないことから、本体部をスムーズに回転させることができる。
【００１０】
第３の発明に係る電気ストーブは、第１又は第２の発明において、前記本体部が所定の固定位置に配置された場合に、平面視において前記ガード部材が前記支持台の範囲内に配置される。
【００１１】
この電気ストーブでは、本体部が所定の固定位置に配置された場合に、平面視においてガード部材が支持台の範囲内に配置されることから、電気ストーブの設置面積を支持台の範囲内にすることができる。これにより、本体部にガード部材を取り付けた場合でも、電気ストーブの設置面積が増加しないようにすることができる。
【００１２】
第４の発明に係る電気ストーブは、第１〜第３の発明において、前記ガード部材が、複数の部材を有しており、前記複数の部材が接続されることによって前記本体部の周囲に取り付けられる。
【００１３】
この電気ストーブでは、複数の部材を接続することによりガード部材を本体部に容易に取り付けることができる。
【００１４】
第５の発明に係る電気ストーブは、第１〜第４の発明において、前記ガード部材と前記本体部との間に配置された弾性部材を備えている。
【００１５】
この電気ストーブでは、ガード部材と本体部との間に弾性部材を配置することにより、ガード部材を本体部に対して固定することができる。また、弾性部材に樹脂などの絶縁材を用いた場合は、弾性部材によってガード部材と本体部とを絶縁することができるため、電気ストーブの安全性を高めることができる。
【発明の効果】
【００１６】
以上の説明に述べたように、本発明によれば、以下の効果が得られる。
【００１７】
第１の発明では、重心調整部によりストーブ本体の重心位置とガード部材の重心位置とが略一致するので、本体部にガード部材を取り付けた場合でも電気ストーブが倒れにくい。また、本体部の周囲にガード部材が取り付けられているため、使用者が本体部の外周面に触れられないようにすることができる。
【００１８】
第２の発明では、本体部を回転させた際に、重心調整部が支柱に当接しないことから、本体部をスムーズに回転させることができる。
【００１９】
第３の発明では、本体部が所定の固定位置に配置された場合に、平面視においてガード部材が支持台の範囲内に配置されることから、電気ストーブの設置面積を支持台の範囲内にすることができる。これにより、本体部にガード部材を取り付けた場合でも、電気ストーブの設置面積が増加しないようにすることができる。
【００２０】
第４の発明では、複数の部材を接続することによりガード部材を本体部に容易に取り付けることができる。
【００２１】
第５の発明では、ガード部材と本体部との間に弾性部材を配置することにより、ガード部材を本体部に対して固定することができる。また、弾性部材に樹脂などの絶縁材を用いた場合は、弾性部材によってガード部材と本体部とを絶縁することができるため、電気ストーブの安全性を高めることができる。
【図面の簡単な説明】
【００２２】
【図１】本発明の実施形態に係る電気ストーブの全体斜視図である。
【図２】（ａ）は本体部が縦固定位置に配置されたときの電気ストーブの正面図であり、（ｂ）は本体部が縦固定位置に配置されたときの電気ストーブの右側面図である。
【図３】（ａ）は本体部が縦固定位置に配置されたときの電気ストーブの平面図であり、（ｂ）は本体部が縦固定位置に配置されたときの電気ストーブの背面図である。
【図４】（ａ）は本体部が横固定位置に配置されたときの電気ストーブの正面図であり、（ｂ）は本体部が横固定位置に配置されたときの電気ストーブの平面図である。
【図５】ガード部材及び弾性部材の分解斜視図である。
【図６】（ａ）は縦固定位置におけるガード部材の正面図であり、（ｂ）は縦固定位置におけるガード部材の右側面図である。
【図７】本体部が縦固定位置に配置されたときのガード部材の重心位置とストーブ本体の重心位置とを示す図である。
【図８】本体部が横固定位置に配置されたときのガード部材の重心位置とストーブ本体の重心位置とを示す図である。
【図９】本発明の変形例に係る電気ストーブの背面図である。
【発明を実施するための形態】
【００２３】
〔第１実施形態〕
以下、図１〜８を参照しつつ、本発明の実施形態について説明する。
【００２４】
（ストーブの全体構成）
図１，２に示すように、電気ストーブ１００は、支持台１と、支持台１から上方に延在した支柱２と、支柱２の上端部に取り付けられた本体部３とを有するストーブ本体１０と、本体部３の周囲に取り付けられたガード部材２０とを備えている。
【００２５】
<支持台、支柱>
図１及び図３（ａ）に示すように、支持台１は、平面視において略四角形状に形成され、床面に配置される。支柱２は、支持台１の中央よりもやや後方の位置から上方に向かって延在している。
【００２６】
<本体部> 
図２（ｂ）に示すように、本体部３は、回転軸１２により支柱２の上端部に取り付けられ、回転軸１２を中心に支柱２に対して回転可能に取り付けられている。回転軸１２は、本体部３の背面部から直角に後方に向かって延びた軸である。
【００２７】
図２に示すように、本体部３は、前面部に長方形状の開口３１ａが形成されたケーシング３１を有する。ケーシング３１は略直方体状に形成され、内部には、棒状の発熱部３２，３３が配置され、発熱部３２，３３の後方及び側方には反射板３４が設けられている。また、ケーシング３１には、開口３１ａを部分的に覆うように本体ガード部３５が配置されている。本体ガード部３５は、水平方向に沿って配設された複数の金属線材を用いて形成され、複数の金属線材は部分的に接続されることにより一体になっている。
【００２８】
図２，４に示すように、本体部３は、回転軸１２を中心に支柱２に対して回転することで、縦固定位置（図２参照）と、横固定位置（図４参照）との２つの固定位置のうち、いずれかの位置に配置される。ここで、「縦固定位置」とは、図２に示すように本体部３の長辺が上下方向に沿って配置される場合であり（図１，３参照）、「横固定位置」とは、図４に示すように本体部３の長辺が左右方向に沿って配置される場合である。
【００２９】
<ガード部材>
図１に示すように、ガード部材２０は、本体部３の側面を覆うように取り付けられたガード本体部２１を有する。図５，６に示すように、ガード本体部２１は、電気ストーブ１００が縦固定位置に配置された場合に、本体部３の上部を覆う上ガード５１と、本体部３の下部を覆う下ガード５２とを有し、これらはガード接続部５３，５４，５５，５６によって接続される。ここで、図６には、図５に示す部材を組み立てた図を示している。
【００３０】
上ガード５１は、略筒状の筒部６１を有し、筒部６１の左右上端部には、弾性部材４１，４２に固定される右固定部６２及び左固定部６３が設けられている。筒部６１は、水平方向に沿った複数の金属線材を用いて形成され、複数の金属線材は部分的に接続されることにより一体になっている。右固定部６２及び左固定部６３は、ガード部材２０を本体部３に取り付けた際に、弾性部材４１，４２に形成された溝４１ａ，４２ａに嵌まる。そして、図５に示すように、右固定部６２及び左固定部６３は、前後方向に沿った金属線材及び左右方向に沿った金属線材を有し、これらの金属線材に対応するように、弾性部材４１，４２の上面に溝４１ａ，４２ａが形成されている。弾性部材４１，４２は、絶縁性の樹脂により形成され、本体部３が縦固定位置に配置された際に本体部３の右上端部及び左上端部に配置される（図１，２参照）。
【００３１】
また、上ガード５１の右後方には重心調整部８０が配置されている。重心調整部８０は円柱状のおもり８１を有し、おもり８１は、上ガード５１に取り付けられたおもり支持部８２によって支持されている。
【００３２】
図５，６に示すように、下ガード５２は、上ガード５１を上下反転させたものであって、上ガード５１と略同一の構成となっている。図６に示すように、下ガード５２の筒部７１の左右下端部には、弾性部材４３，４４に固定される右固定部７２及び左固定部７３が設けられている。右固定部７２及び左固定部７３は、弾性部材４３，４４の下面に形成された溝に嵌まる。また、下ガード５２の左後方には重心調整部９０が配置されている。重心調整部９０は重心調整部８０と略同一の構成であり、円柱状のおもり９１が下ガード５２に取り付けられたおもり支持部９２によって支持されている。弾性部材４３，４４は、絶縁性の樹脂により形成され、本体部３が縦固定位置に配置された際に本体部３の右下端部及び左下端部に配置される。
【００３３】
また、図５に示すように、上ガード５１と下ガード５２とを接続するガード接続部５３，５４，５５，５６は、略矩形状の金属板により形成され、電気ストーブ１００の前面部、右側部、左側部及び背面部において上ガード５１及び下ガード５２を接続する。ガード接続部５３，５４，５５，５６の上端部及び下端部は折り返され（図５に示す、折り返し上端部５３ａ，折り返し下端部５３ｂ参照）、折り返し上端部（５３ａ）に上ガード５１の最下端の金属線材を挟み込むとともに、折り返し下端部（５３ｂ）に下ガード５２の最上端の金属線材を挟み込むことにより、上ガード５１と下ガード５２とが接続される（図６参照）。
【００３４】
ガード部材２０を本体部３へ取り付けるときは、本体部３の上端部に弾性部材４１，４２を取り付け、その後、上ガード５１を本体部３の上部に被せる。また、本体部３の下端部に弾性部材４３，４４を取り付け、その後、下ガード５２を本体部３の下部に被せる。そして、上ガード５１及び下ガード５２をガード接続部５３，５４，５５，５６により接続する。
【００３５】
そして、図３（ａ）に示すように、ガード部材２０が取り付けられた本体部３が縦固定位置に配置されたとき、電気ストーブ１００の平面視において、ガード部材２０（ガード本体部２１及び重心調整部８０，９０）が略四角形状の支持台１の範囲内に配置される。
【００３６】
図１及び図３（ｂ）に示すように、本体部３が縦固定位置に配置されたとき、電気ストーブ１００の背面において、重心調整部８０は回転軸１２の右上方（背面側からみたときの左上方）に配置され、重心調整部９０は回転軸の左下方（背面側からみたときの右下方）に配置されている。このように、重心調整部８０と、重心調整部９０とは、高さ位置（上下方向の位置）及び左右方向の位置が異なる。また、上ガード５１と下ガード５２とは略同一の構成であることから、重心調整部８０，９０は、回転軸１２を中心に対称（回転対称）の位置に配置されている。このような構成から、本体部３を縦固定位置から横固定位置まで回転させた際（図３（ｂ）に示す回転方向参照）、本体部３の回転中に重心調整部８０，９０が支柱２に接触しない。また、本体部３を横固定位置（図４（ａ）参照）から縦固定位置（図３（ｂ））まで回転させた際にも、本体部３の回転中に重心調整部８０，９０が支柱２に接触しない。したがって、本体部３をスムーズに回転させることができる。
【００３７】
また、図７に示すように、ガード本体部２１の後方に重心調整部８０，９０を配置することにより、重心調整部８０，９０を配置しない場合と比べて、ガード部材２０の重心位置が本体部３の背面側（後方）へ移動する。また、本実施形態では、重心調整部８０，９０が回転軸１２を中心に対称な位置に配置されていることから（図３（ｂ）参照）、本体部３が縦固定位置（所定の固定位置）に配置されたときに、ガード部材２０の重心位置Ｇ２が、上下方向及び左右方向について回転軸１２と一致している（図７（ｂ）参照）。そして、電気ストーブ１００の平面視（図７（ａ））において、ガード部材２０の重心位置Ｇ２が、前後方向及び左右方向について、ストーブ本体１０の重心位置Ｇ１と略一致している。また、図８に示すように、本体部３が横固定位置（所定の固定位置）に配置されたときに、電気ストーブ１００の平面視において、ガード部材２０の重心位置Ｇ２が、前後方向及び左右方向について、ストーブ本体１０の重心位置Ｇ１と略一致している。
【００３８】
以上のように、本実施形態の電気ストーブ１００では、重心調整部８０，９０によりストーブ本体１０の重心位置Ｇ１とガード部材２０の重心位置Ｇ２とが略一致するので、本体部３にガード部材２０を取り付けた場合でも電気ストーブ１００が倒れにくい。また、本体部３の周囲にガード部材２０が取り付けられているため、使用者が本体部３の外周面に触れられないようにすることができる。
【００３９】
また、本実施形態の電気ストーブ１００では、本体部３を回転させた際に、重心調整部８０，９０が支柱２に当接しないことから、本体部３をスムーズに回転させることができる。
【００４０】
さらに、本実施形態の電気ストーブ１００では、本体部３が縦固定位置に配置された場合に、平面視においてガード部材２０が支持台１の範囲内に配置されることから、電気ストーブ１００の設置面積を支持台１の範囲内にすることができる。これにより、本体部３にガード部材２０を取り付けた場合でも、電気ストーブ１００の設置面積が増加しないようにすることができる。
【００４１】
加えて、本実施形態の電気ストーブ１００では、本体部３の上部に被せた上ガード５１と、本体部３の下部に被せた下ガード５２とを接続することにより、ガード部材２０を本体部３に容易に取り付けることができる。
【００４２】
また、ガード部材２０と本体部３との間に弾性部材４１，４２，４３，４４を配置することにより、ガード部材２０を本体部３に対して固定することができる。これにより、本体部３を回転させたときに、ガード部材２０が本体部３に対して移動することを抑止できる。また、弾性部材４１，４２，４３，４４が樹脂により形成されているため、弾性部材４１，４２，４３，４４により、ガード部材２０と本体部３とを絶縁することができる。これにより、電気ストーブ１００の安全性を高めることができる。
【００４３】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００４４】
例えば、上述の実施形態では、本体部３が縦固定位置及び横固定位置に配置された場合に、平面視において、ガード部材２０の重心位置がストーブ本体１０の重心位置と略一致するが、本体部３が縦固定位置又は横固定位置に配置された場合にだけ、平面視において、ガード部材２０の重心位置がストーブ本体１０の重心位置と略一致するようにしてもよい。
【００４５】
また、上述の実施形態では、上ガード５１と下ガード５２とが略同一の構成であることから、重心調整部８０，９０が回転軸１２を中心に対称な位置に配置されているが、本体部３が縦固定位置に配置された場合に、平面視においてガード部材２０の重心位置がストーブ本体１０の重心位置と略一致するようにできれば、重心調整部の位置や重量は変更可能である。例えば、図９（ａ）に示すように、本体部３が縦固定位置に配置された場合に、本体部３の背面において、回転軸１２の右上方（背面側からみたときの左上方）に重心調整部８０を配置し、回転軸１２の左上方（背面側からみたときの右上方）に重心調整部９０を配置してもよい。このように、上ガード５１と下ガード５２とを異なる構成とした場合でも、電気ストーブ１００を倒れにくくすることができる。
【００４６】
さらに、上述の実施形態では、ガード本体部２１に２つの重心調整部８０，９０が取り付けられているが、重心調整部の数は変更可能である。例えば、図９（ｂ）に示すように、回転軸１２の上方に１つの重心調整部８０を配置してもよい。また、重心調整部の構成（おもりの重量、ガード部材への取り付け方等）は、変更可能である。
【００４７】
そして、上述の実施形態では、上ガード５１と下ガード５２との構成が略同一であることから、重心調整部８０，９０が回転軸１２を中心に対称な位置に配置されるため、ガード部材２０の重心位置と回転軸１２とが略一致するが（図７（ｂ）参照）、図９に示すように、ガード部材２０の重心位置と、回転軸１２との重心位置とが一致しないように重心調整部を配置してもよい。
【００４８】
また、上述の実施形態では、本体部３が縦固定位置に配置された場合に、電気ストーブ１００の平面視（図３（ａ））において、ガード部材２０が支持台１の範囲内に配置されているが、ガード部材２０が支持台１の範囲内に配置されなくてもよい。例えば、重心調整部８０，９０が支持台の範囲外に配置されてもよい。
【００４９】
さらに、上述の実施形態では、ガード本体部２１が上ガード５１及び下ガード５２を有するが、ガード本体部は、上ガード及び下ガードが一体となった１つの部材から構成されてもよく、３つ以上の部材から構成されてもよい。また、ガード本体部２１が、本体部３の右側を覆う右ガードと、本体部３の左側を覆う左ガードとを有する構成でもよい。
【００５０】
そして、上述の実施形態では、本体部３とガード本体部２１（上ガード５１及び下ガード５２）との間に弾性部材４１，４２，４３，４４が配置されているが、本体部とガード本体部との間に弾性部材が配置されなくてもよい。また、弾性部材の材料は樹脂に限られず、ゴムなどを用いてもよい。
【００５１】
また、上述の実施形態では、本体部３が、支柱２に対して回転することで縦固定位置（図２参照）及び横固定位置（図４参照）の２つの固定位置のいずれかの位置に配置されるが、固定位置は３つ以上でもよい。例えば、縦固定位置及び横固定位置のほかに、斜め固定位置（本体部の長手方向が上下方向に対して傾斜した方向に沿って配置される場合）に本体部が固定されてもよい。
【産業上の利用可能性】
【００５２】
本発明を利用すれば、本体部に保護ガードを取り付けた場合でも倒れにくい電気ストーブを提供することができる。
【符号の説明】
【００５３】
１  支持台
２  支柱
３  本体部
１０  ストーブ本体
２０  ガード部材
８０，９０  重心調整部
３２，３３  発熱部
４１，４２，４３，４４  弾性部材
５１  上ガード
５２  下ガード
５３，５４，５５，５６  ガード接続部
８１，９１  おもり
８２，９２  おもり支持部
１００  電気ストーブ
Ｇ１，Ｇ２    重心位置
【図１】
2013185744.tif 000003
【図２】
2013185744.tif 000004
【図３】
2013185744.tif 000005
【図４】
2013185744.tif 000006
【図５】
2013185744.tif 000007
【図６】
2013185744.tif 000008
【図７】
2013185744.tif 000009
【図８】
2013185744.tif 000010
【図９】
2013185744.tif 000011